(57)【要約】【課題】着用物品の前後胴周り域を連結するために使用される連結用シート片の折り曲げを容易にする。【解決手段】着用物品１の前後身頃６，７を連結するための連結用シート片９が基端部５１とフラップ部５２とを有する。基端部５１は、着用物品１の側縁近傍５０の内面に固定される一方、フラップ部５２が側縁近傍５０から着用物品１の内側へ向かって胴周り方向へ延びており、フラップ部５２にはさらに、これを折り曲げて着用物品１の内側から外側へ向かうように反転させることを容易にする折り曲げ案内部５５が形成される。【選択図】図１
2008161206.tif 000002
【特許請求の範囲】
【請求項１】
前後方向と前記前後方向に直交する幅方向とを有し、前記前後方向には股下域と前記股下域の前方に位置する前胴周り域と前記股下域の後方に位置する後胴周り域とが形成されており、これら各域が前記幅方向において向かい合い前記前後方向へ延びる一対の側縁を有し、かつ前記前後胴周り域それぞれが前記前後方向において向かい合い前記幅方向へ延びる前端縁と後端縁とを有しており、前記前後胴周り域のうちの一方の胴周り域における前記側縁近傍には、もう一方の胴周り域に対して着脱可能な連結用シート片が取り付けられている使い捨ての着用物品であって、
前記連結用シート片は、前記側縁近傍において前記着用物品の着用者の肌と向かい合う内面の側に固定されている基端部と、前記基端部から前記幅方向の内側へ向かって延びて前記内面と向かい合う面に前記もう一方の胴周り域における前記内面とは反対側の外面に対しての止着手段が形成された変形自由なフラップ部とを有するものであって、前記フラップ部には、前記フラップ部の延びる方向を前記幅方向の内側から外側へ向かうように反転させることを容易にする折り曲げ案内部が前記基端部に沿って形成されていることを特徴とする前記着用物品。
【請求項２】
前記折り曲げ案内部は、前記フラップ部を前記幅方向の内側から外側へ向かうように反転させる前記連結用シート片に付けられた折り目である請求項１記載の着用物品。
【請求項３】
前記連結用シート片が熱可塑性ポリマーからなる繊維および熱可塑性ポリマーからなるフィルムのいずれかを含み、これら繊維およびフィルムのいずれかが加熱下に加圧されて変形することにより前記折り目が付けられている請求項２記載の着用物品。
【請求項４】
前記連結用シート片は、前記折り曲げ案内部を前記幅方向から挟む両側のうちの一方の側が前記基端部であって前記内面の側に固定されることにより前記幅方向への曲げ剛性が高く、前記一方の側に対する反対の側が前記止着手段を形成されることにより前記幅方向の曲げ剛性が高く、前記折り曲げ案内部が、これら一方の側と反対の側との間にあって前記幅方向への曲げ剛性が低い部位によって供されている請求項１記載の着用物品。
【発明の詳細な説明】
【技術分野】
【０００１】
この発明は、使い捨てのおむつ、失禁患者用の使い捨てのおむつ、使い捨てのおむつカバー、使い捨てのトレーニングパンツ等として使用するのに好適な使い捨ての着用物品に関する。
【背景技術】
【０００２】
使い捨ての着用物品の一例である使い捨ておむつであって、前後胴周り域をシート状のファスナで分離可能に連結するものは、従来周知である。また、かかるファスナには、おむつ幅方向の一端部が前後胴周り域いずれかにおける側縁の近傍に固定されるものがある。例えば、特許第３０９６１５２号公報（特許文献１）には、図６，７に示されるこの種の使い捨てオムツ１００に係る発明が記載されている。オムツ１００は、シート状のファスナである締結片１０６を有するもので、前後身頃１０１，１０２の胴周り対向側部１０３，１０４を互いに重ね合わせ、更に先端部の内面に係着部１０５を設けた各締結片１０６の基端部１０７を前身頃１０１の胴周り対向側部１０３に重ね合わせ、これらの重ね合わせ部を一体に接合して接合部１０８を形成し、接合部１０８それぞれよりも内側であって接合部１０８のそれぞれに近接する前身頃１０１の部位には、これら接合部１０８に沿って前身頃１０１を後身頃１０２から切り離すための切断線１０９ａが設けてある。このオムツ１００では、着用者を起立させてオムツ１００を着用させるのがよい場合、予めパンツ型になっているオムツ１００をそのまま使用する。このとき、締結片１０６は、不要であるが、係着部１０５で前身頃１０１に接合し、オムツ１００の着用中に妄りに動かないようにする。また、例えば、おむつの着用者を仰臥または横臥させてオムツを着用させるのがよい場合、前身頃１０１または締結片１０６を引っ張って切断線１０９ａにおいて引き裂いて前身頃１０１の対向側部を後身頃１０２のそれから切り離すことで図６の開放型のオムツになし、着用させた状態で、締結片１０６を係着部１０５で前身頃１０１の適宜部位に接合する。
【特許文献１】特許第３０９６１５２号公報
【発明の開示】
【発明が解決しようとする課題】
【０００３】
特許文献１に記載のオムツ１００では、前後身頃１０１，１０２の対向側部１０３，１０４と、締結片１０６の基端部１０７とが重なり合って接合し、係着部１０５を有する締結片１０６の先端部が図６に示されるように接合部１０８から前身頃１０１の内側に向かって延びている。かようなオムツ１００を開放型オムツと成して着用させるときには、図６の締結片１０６を反転させて、図７に示されているように係着部１０５を有する先端部が係合部１０８から後身頃１０２の外側に向かって延びるようにしなければならない。しかし、締結片１０６は、図６に示される態様で接合しているものであるから、一度反転させてもまた元に戻り、後身頃１０２の外側に向かって延びた状態を維持できないことがある。締結片１０６がそのような挙動をとる場合に、オムツ１００を着用させようとする母親は、一時的にせよ締結片１０６を外側に向けて抑えていなければならないから、オムツ１００を着用させるのに手間取ることがある。
【０００４】
そこでこの発明が課題とするところは、前後身頃を連結するためのファスナである連結用シート片が着用物品の側縁から内側へ延びるように取り付けられている着用物品において、その連結用シート片を側縁から外側へ向くように反転させることが容易となるように改良を施すことにある。
【課題を解決するための手段】
【０００５】
前記課題を解決するために、この発明が対象とするのは、前後方向と前記前後方向に直交する幅方向とを有し、前記前後方向には股下域と前記股下域の前方に位置する前胴周り域と前記股下域の後方に位置する後胴周り域とが形成されており、これら各域が前記幅方向において向かい合い前記前後方向へ延びる一対の側縁を有し、かつ前記前後胴周り域それぞれが前記前後方向において向かい合い前記幅方向へ延びる前端縁と後端縁とを有しており、前記前後胴周り域のうちの一方の胴周り域における前記側縁近傍には、もう一方の胴周り域に対して着脱可能な連結用シート片が取り付けられている使い捨ての着用物品である。
【０００６】
かかる着用物品において、この発明が特徴とするところは、次のとおりである。前記連結用シート片は、前記側縁近傍において前記着用物品の着用者の肌と向かい合う内面の側に固定されている基端部と、前記基端部から前記幅方向の内側へ向かって延びて前記内面と向かい合う面に前記もう一方の胴周り域における前記内面とは反対側の外面に対しての止着手段が形成された変形自由なフラップ部とを有するものであって、前記フラップ部には、前記フラップ部の延びる方向を前記幅方向の内側から外側へ向かうように反転させることを容易にする折り曲げ案内部が前記基端部に沿って形成されている。
【０００７】
請求項２に係るこの発明の実施態様において、前記折り曲げ案内部は、前記フラップ部を前記幅方向の内側から外側へ向かうように反転させる前記連結用シート片に付けられた折り目である。
【０００８】
請求項３に係るこの発明の実施態様において、前記連結用シート片が熱可塑性ポリマーからなる繊維および熱可塑性ポリマーからなるフィルムのいずれかを含み、これら繊維およびフィルムのいずれかが加熱下に加圧されて変形することにより前記折り目が付けられている。
【０００９】
請求項４に係るこの発明の実施態様において、前記連結用シート片は、前記折り曲げ案内部を前記幅方向から挟む両側のうちの一方の側が前記基端部であって前記内面の側に固定されることにより前記幅方向への曲げ剛性が高く、前記一方の側に対する反対の側が前記止着手段を形成されることにより前記幅方向の曲げ剛性が高く、前記折り曲げ案内部が、これら一方の側と反対の側との間にあって前記幅方向への曲げ剛性が低い部位によって供されている。
【発明の効果】
【００１０】
請求項１に係るこの発明では、着用物品の幅方向の内側へ向かって延びる連結用シート片のフラップ部にこのフラップ部を幅方向の外側へ向かうように反転させることを容易にする折り曲げ案内部が形成されているから、着用者を仰臥または横臥させてこの着用物品を着用させるときに、フラップ部が着用物品の幅方向の内側へ延びて邪魔になる、ということがない。
【００１１】
請求項２に係るこの発明の実施態様によれば、フラップ部に折り目をつけることによって折り曲げ案内部とすることができる。
【００１２】
請求項３に係るこの発明の実施態様によれば、フラップ部に含まれた熱可塑性ポリマーからなる繊維および熱可塑性ポリマーからなるフィルムのいずれかを加熱下に加圧してフラップ部に折り目をつけることができる。
【００１３】
請求項４に係るこの発明の実施態様によれば、着用物品の幅方向において、連結用シート片は基端部と止着手段が形成される部位との両者で曲げ剛性が高く、これら両者の間に曲げ剛性が低い部位を有することによって、その曲げ剛性が低い部位を折り曲げ案内部にすることができる。
【発明を実施するための最良の形態】
【００１４】
この発明に係る使い捨ての着用物品として使い捨ておむつを例にとり、発明の詳細を説明すると、以下のとおりである。
【００１５】
図１には、着用状態にある使い捨ておむつ１が部分破断斜視図として示されている。この使い捨ておむつ１は、乳幼児用に好適なもので、身体被覆部２と体液吸収部３とを有する。身体被覆部２は、股下域８と、股下域８の前方に形成された前胴周り域６と、股下域８の後方に形成された後胴周り域７とを有し、これら各域６，７，８がおむつ着用者の着衣（図示せず）と向かい合う第１のシート、すなわち外面シート５と、外面シート５の反対側にあっておむつ着用者の肌（図示せず）と向かい合う第２のシート、すなわち内面シート４とによって形成されている。後胴周り域７の両側縁１２それぞれに沿った側縁近傍部位５０における内面シート４は、着用状態にあるおむつ１において着用者の肌に接することがない部分で、ここには内外面シート４，５とは別体の第３のシート材料からなる連結用シート片９が合掌状に重なり、図の上下方向へ間欠的に並ぶ接合部位１３において固定されている。連結用シート片９は、図の上下方向に長いもので、内面９ａと外面９ｂとを有し、内面９ａには、商品名マジックテープ等で知られるメカニカルファスナのループ部材１６が接着または溶着により取り付けられている。一方、前胴周り域６の両側縁１１それぞれの近傍には、外面シート５にメカニカルファスナのフック部材１７が接着または溶着により取り付けられており、止着手段となるこれらループ部材１６とフック部材１７とが重ね合わせられると、連結用シート片９を介して前胴周り域６と後胴周り域７とが取り外し可能に連結される。なお、図１の右方では、前後胴周り域６，７が、連結状態で示されているが、図１の左方では非連結状態で示されている。前後胴周り域６，７が連結さると、おむつ１には胴周り開口１８と一対の脚周り開口１９とが形成される。
【００１６】
図１の連結用シート片９は、後胴周り域６の側縁近傍部位５０における内面の側に固定されている基端部５１と、基端部５１から前胴周り域６の幅を二等分する中心線Ｃ−Ｃに向かって延びている変形自由なフラップ部５２とを有する。図１の右方に位置する連結用シート片９についていえば、基端部５１は側縁近傍部位５０と一体になっておむつ１の外側に向かって突出した状態にあり、フラップ部５２は基端部５１から前胴周り域６の幅方向内側へ向かって延びており、その延びた先端部分には摘持域５４が形成されている。フラップ部５２にはまた、基端部５１に沿って図の上下方向へ延びる折り曲げ案内部５５が形成されている。図１の左方に位置する連結用シート片９では、フラップ部５２が折り曲げ案内部５５において折り返された状態にある。
【００１７】
かかるおむつ１は、胴周り開口１８の周り方向へ延びる胴周り弾性部材２０と、脚周り開口１９の周り方向へ延びる脚周り弾性部材１９ａとを有しており、身体被覆部２には、これら弾性部材２０，１９ａが収縮することによって、弾性部材２０，１９ａに直交して延びるとともに弾性部材２０，１９ａに沿って凹凸を繰り返すギャザー６６，６７が形成されている。
【００１８】
図２はおむつ１の部分破断斜視図であって、この図におけるおむつ１は、図１に示された前後胴周り域６，７の連結が解かれ、ギャザー６６，６７が完全には消失しない程度に、双頭矢印Ｘで示された幅方向と双頭矢印Ｘに直交する双頭矢印Ｙで示された前後方向とに伸展された状態にあり、連結用シート片９のそれぞれのフラップ部５２がおむつ１における幅方向Ｘの外側へ向くように案内部５５において折り曲げられている。なお、おむつ１において、幅方向Ｘは胴周り方向といい替えることもできる。図２の身体被覆部２は、幅方向Ｘにおいて向かい合い、前後方向Ｙへ延びる一対の側縁１０を有し、その側縁１０のうちで前胴周り域６を形成している前方側縁１１どうしの間の幅は、後胴周り域７を形成している後方側縁１２どうしの間の幅よりも小さく作られている。側縁１０のうちで股下域８を形成している中央部側縁２８は身体被覆部２の内方へ向かって凸となるように湾曲している。前後胴周り域６，７はまた、前後方向Ｙにおいて向かい合い、幅方向Ｘへ延びる前端縁２６と後端縁２７とを有し、これら前後端縁２６，２７が図１におけるおむつ１の胴周り開口１８の縁を形成する。身体被覆部２における胴周り弾性部材２０は、前端縁２６と後端縁２７とに沿って取り付けられて前方側縁１１と１１との間および後方側縁１２と１２との間に伸長状態で延びる少なくとも１条の前胴周り域第１弾性部材２１ａおよび少なくとも１条の後胴周り域第１弾性部材２１ｂの他に、図１においてこれら第１弾性部材２１ａ，２１ｂよりも下方であって股下域８の中央部側縁２８よりも上方に位置しており、前方側縁１１と１１との間および後方側縁１２と１２との間に伸長状態で延びる複数条の前胴周り域第２弾性部材２２ａおよび複数条の後胴周り域第２弾性部材２２ｂを有する。好ましいおむつ１において、第１弾性部材２１ａ，２１ｂのそれぞれは、第２弾性部材２２ａ，２２ｂのそれぞれよりもおむつ着用者の胴周りを強く締め付けることができるように、第２弾性部材２２ａ，２２ｂのそれぞれよりも高い伸長応力を有している。ただし、おむつ１では、第１弾性部材２１ａ，２１ｂと第２弾性部材２２ａ，２２ｂとに伸長応力の同じ弾性部材を使用したり、第１弾性部材２１ａと２１ｂとに伸長応力の異なるものを使用したり、第２弾性部材２２ａと２２ｂとに伸長応力の異なるものを使用したりすることができる。さらには、第２弾性部材２２ａおよび／または２２ｂの使用を省くことも可能である。身体被覆部２では、脚周り弾性部材１９ａが股下域８の中央部側縁２８に沿って伸長状態で取り付けられている。これら胴周り弾性部材２０と脚周り弾性部材１９ａとは、内面シート４と外面シート５との間にあって、少なくともそれらの一方に、好ましくは間欠的に接合されている。連結用シート片９は、基端部５１が後方側縁１２の近傍部位５０に固定されており、フラップ部５２が、幅方向Ｘにおいて、おむつ１の内側から外側ヘ向かうように延びている。
【００１９】
図２に示された体液吸収部３は、透液性表面シート３２と、不透液性裏面シート３３と、これら両シート３２，３３間に介在する体液吸収性芯材３４とを有する。表裏面シート３２，３３は、芯材３４の周縁部から延出して重なり合い、接着または溶着により互いに接合されている。かかる体液吸収部３の両側縁部には、好ましくは不透液性シートからなる防漏堤３６が設けられている。防漏堤３６は、それを形成しているシート材料が前後端縁部３７，３８と外側縁部３９とにおいて表面シート３２に接合されているが、内側縁部４１では表面シート３２に接合されていない。その内側縁部４１には、前後方向Ｙへ延びる弾性部材４２が伸長状態で取り付けられている。かように形成された防漏堤３６は、表面シート３２の上を幅方向Ｘへ流れる体液が流入可能なポケット４３を形成している。体液吸収部３は、裏面シート３３がホットメルト接着剤（図示せず）を介して身体被覆部２の内面シート４に接合されている。
【００２０】
かかるおむつ１において、内面シート４と外面シート５とは、不織布やフィルム、これら不織布とフィルムとを積層した複合シート等で形成され、好ましくは熱可塑性ポリマーを必須成分として含んでいる。体液吸収部３の表面シート３２は、１０〜３０ｇ／ｍ２の坪量を有するもので、熱可塑性ポリマーからなる不織布や開孔フィルム等で形成され、裏面シート３３は、熱可塑性ポリマーからなるフィルムや不織布、これらフィルムと不織布とを積層した複合シート等で形成されている。芯材３４は、粉砕パルプ、粉砕パルプと高吸水性ポリマー粒子との混合物等からなり、適宜に圧縮された状態にあって、好ましくはティシュペーパ等の液透過性と液拡散性とに優れたシートによって被覆されている。連結用シート片９は、熱可塑性ポリマーからなる不織布やフィルム、これら不織布とフィルムとを積層した複合シート等で形成さており、熱可塑性ポリマーを必須成分として含んでいる。好ましい連結用シート片９は、１５〜２００ｇ／ｍ２の坪量を有する。
【００２１】
図３は、図１のＩＩＩ−ＩＩＩ線切断面を示す図であって、ＩＩＩ−ＩＩＩ線は図１に示される接合部位１３を通っている。好ましい接合部位１３では、内面シート４と外面シート５と連結用シート片９とが加熱下に加圧されて、これらのいずれかに含まれる熱可塑性ポリマーが溶融した後に固化することによって一体となり、その一体となった部分はフィルム状を呈している。接合部位１３はまた、内面シート４と外面シート５と連結用シート片９とをホットメルト接着剤で接着することにより形成することもできる。
【００２２】
連結用シート片９は、摘持域５４を持って矢印方向Ｐへ引張ると、フラップ部５２のループ部材１６が前胴周り域６のフック部材１７から離脱して、前胴周り域６と後胴周り域７との連結を解く。図３において、後胴周り域７の側縁近傍部位５０からおむつ１の幅方向内側へ向かって延びた状態にあるフラップ部５２には、それをおむつ１の幅方向内側から外側へ向くように反転させることを容易にし、好ましくは自動的に反転させることを可能にする折り曲げ案内部５５が形成されており、ループ部材１６がフック部材１７から離脱した後のフラップ部５２は、その折り曲げ案内部５５で幅方向Ｘにおける外側へ折れ曲がって仮想線の状態になり得る。この状態は、図２のフラップ部５２の状態と同じである。このようにフラップ部５２に対して折り曲げ手段として作用する図示例の折り曲げ案内部５５は、フラップ部５２に対して付けられた恒久的な折り目である。連結用シート片９が熱可塑性ポリマーからなる繊維で形成された不織布や熱可塑性ポリマーからなるフィルム等である場合には、そのシート片９を加熱下で折り曲げた後、冷却することによってそのような折り目を作ることができる。
【００２３】
乳幼児を仰臥させたり横臥させたりして図２のおむつ１を内面シート４が肌と向かい合うように着用させる場合に、フラップ部５２が折り曲げ案内部５５の作用で自動的に図２，３の如くおむつ１の幅方向外側へ向かって反転するおむつ１は、フラップ部５２が幅方向内側へ向かって延びたままの状態にあるおむつに比べて、フラップ部５２の摘持域５４を摘み易く、おむつ１を速やかに着用させることができる。
【００２４】
図４は、この発明の実施態様の一例を示すおむつ１の部分図である。この図示例では、図２のフラップ部５２と同じ寸法のフラップ部５２に取り付けられたループ部材１６が前後方向Ｙにおいてフラップ部５２の全体にわたって延びている。このようなフラップ部５２は、図２の連結用シート片９のように、前後方向Ｙにおいて、ループ部材１６の寸法がフラップ部５２の寸法よりも小さい場合に比べて高い剛性を有する範囲が広くなり、重量も増すので、フラップ部５２をおむつ１の幅方向外側へ向けて反転させることが一層容易になる。
【００２５】
図５は、この発明の実施態様の一例を示す図３と同様な図である。このおむつ１における連結用シート片９のフラップ部５２は、折り曲げ案内部５５として、交互に並んだ山部７１と谷部７２とからなるひだを有し、これら山部７１と谷部７２とが互いに平行して図１のおむつ１の上下方向へ延びている。この連結用シート片９は、おむつ１の幅方向Ｘにおいて折り曲げ案内部５５を挟む一方の側に基端部５１を有しており、その基端部５１がおむつ１の側縁近傍部位５０に接合することによって剛性が高くなっている。連結用シート片９はまた、折り曲げ案内部５５を挟むもう一方の側にループ部材１６を有し、そのループ部材１６を有する部位においても剛性が高くなっている。しかし、連結用シート片９は、これら基端部５１とループ部材１６を有する部位との間に折り曲げ案内部５５を有し、その折り曲げ案内部５５には山部７１と谷部７２とが交互に並んでいることによって、フラップ部５２はその両側部位よりも幅方向Ｘにおける剛性が低くなり、折り曲げが容易になっている。それゆえ、摘持域５４を摘んで矢印Ｐ方向へ引張ってループ部材１６をフック部材１７から離脱させたフラップ部５２は、摘持域５４を摘んだままその向きを反転させて、仮想線の状態にすることができる。このおむつ１では、実線で示されたフラップ部５２が自動的に反転しておむつ１の外側へ向かって延びるということがなくても、フラップ部５２を摘んで簡単に反転させることができ、そのようにしてフラップ部５２を反転させたおむつ１は、図２のおむつ１と同様に着用させることが容易である。
【００２６】
この発明において、図示例の連結用シート片９は、後胴周り域７に代えて前胴周り域６に取り付けることができる。また、図示例に代えて、ループ部材１６を前胴周り域６に取り付けて、フック部材１７を連結用シート片９に取り付けることができる。さらには、連結用シート片９におけるフラップ部５２の内面９ａに前胴周り域６に対する止着手段としての粘着域を設け、前胴周り域６の外面シート５には、その粘着域の着脱を可能にするターゲット域を設けてこの発明を実施することができる。
【００２７】
図示例の使い捨てのおむつ１に基づいて説明したこの発明は、大人用の使い捨てのおむつや失禁患者用の使い捨てのおむつ、体液吸収部３の使用に代えて体液吸収性の芯材３４を透液性の内面シート４と不透液性の外面シート５との間に介在させた構造の使い捨てのおむつ等として実施できる他に、トレーニングパンツ、体液吸収部３を持たないおむつカバーや吸尿パッド保持用の着用物品等として実施することもできる。
【産業上の利用可能性】
【００２８】
この発明によれば、着用させるときに手間取ることのない使い捨ての着用物品の製造が可能になる。
【図面の簡単な説明】
【００２９】
【図１】前後胴周り域と後胴周り域とが部分的に連結されている使い捨てのおむつの部分破断斜視図。
【図２】幅方向と前後方向とに伸展された状態にある使い捨てのおむつの部分破断斜視図。
【図３】図１のＩＩＩ−ＩＩＩ線切断面を示す図。
【図４】実施態様の一例を示すおむつの部分図。
【図５】実施態様の一例を示す図３と同様な図。
【図６】従来例のおむつを示す図。
【図７】従来例のおむつを示す図。
【符号の説明】
【００３０】
１    着用物品（おむつ）
６    前胴周り域
７    後胴周り域
８    股下域
９    連結用シート片
１０    側縁
１１    側縁
１２    側縁
１６    止着手段（ループ部材）
２６    前端縁
２７    後端縁
２８    側縁
５０    側縁近傍（側縁部位）
５１    基端部
５２    フラップ部
５５    折り曲げ案内部
Ｘ    幅方向
Ｙ    前後方向
【図１】
2008161206.tif 000003
【図２】
2008161206.tif 000004
【図３】
2008161206.tif 000005
【図４】
2008161206.tif 000006
【図５】
2008161206.tif 000007
【図６】
2008161206.tif 000008
【図７】
2008161206.tif 000009